(57)【要約】【課題】洗面鏡を適切に固定可能としつつ、高い意匠性と施工性とを得ることができる洗面鏡の取付構造を提供する。【解決手段】一対の側板を有する枠体と、枠体の前方に設けられた洗面鏡と、を有し、洗面鏡と取付面との間に生じる空間の側方を一対の側板で覆う鏡本体と、取付面に取り付けられる第１受け具と、第１受け具よりも下方に位置するように取付面に取り付けられる第２受け具と、鏡本体の背面に設けられ、上下方向において第１受け具と係合する第１取付具と、鏡本体の背面に第１取付具よりも下方に設けられ、第１受け具と第１取付具とが係合した状態で、第２受け具の上に載置される第２取付具と、第２取付具を第２受け具に固定する固定部材と、を備え、第２取付具が第２受け具の上に載置された状態において、第２受け具の前端は、洗面鏡よりも後方に位置することを特徴とする洗面鏡の取付構造である。【選択図】図２
2019136340.tif 000002
【特許請求の範囲】
【請求項１】
洗面鏡を取付面に取り付けるための洗面鏡の取付構造であって、
一対の側板を有する枠体と、前記枠体の前方に設けられた洗面鏡と、を有し、前記洗面鏡と前記取付面との間に生じる空間の側方を前記一対の側板で覆う鏡本体と、
前記取付面に取り付けられる第１受け具と、
前記第１受け具よりも下方に位置するように前記取付面に取り付けられる第２受け具と、
前記鏡本体の背面に設けられ、上下方向において前記第１受け具と係合する第１取付具と、
前記鏡本体の背面に前記第１取付具よりも下方に設けられ、前記第１受け具と前記第１取付具との係合によって前記鏡本体の前倒れを規制した状態で、前記第２受け具の上に載置される第２取付具と、
前記第２受け具及び前記第２受け具の上に載置された前記第２取付具に対して下方から取り付けられ、前記第２取付具を前記第２受け具に固定する固定部材と、
を備え、
前記第２取付具が前記第２受け具の上に載置された状態において、前記第２受け具の前端は、前記洗面鏡よりも後方に位置することを特徴とする洗面鏡の取付構造。
【請求項２】
前記第２取付具は、前記洗面鏡の下端よりも上方に設けられ、
前記第２取付具が前記第２受け具の上に載置された状態において、前記第２受け具の下端は、前記洗面鏡の下端よりも上方に位置することを特徴とする請求項１記載の洗面鏡の取付構造。
【請求項３】
前記第１受け具及び前記第１取付具の一方の左右方向の幅は、前記第１受け具及び前記第１取付具の他方の左右方向の幅よりも広いことを特徴とする請求項１又は２に記載の洗面鏡の取付構造。
【請求項４】
前記第１受け具は、上方に開口し、
前記第１取付具は、前記第１受け具に対して上方から係合することを特徴とする請求項１〜３のいずれか１つに記載の洗面鏡の取付構造。
【請求項５】
前記第２取付具が前記第２受け具の上に載置された状態において、前記第１取付具と前記第１受け具との間には、上下方向の隙間が設けられていることを特徴とする請求項１〜４のいずれか１つに記載の洗面鏡の取付構造。
【発明の詳細な説明】
【技術分野】
【０００１】
本発明の態様は、一般的に、洗面鏡の取付構造に関する。
【背景技術】
【０００２】
固定具などを使用者から視認できないように隠蔽することにより、意匠性の向上を図る鏡の取付構造が知られている。例えば、特許文献１では、取付面にフックを設けるとともに、鏡の裏面にフック受けを設け、フックとフック受けとの係止によって鏡を取付面に取り付けている。これにより、鏡を取り付けた状態では、フックやフック受けを鏡によって隠蔽することができる。
【０００３】
しかしながら、上記のように係止させるだけの取付構造を洗面空間に設置される洗面鏡に用いてしまうと、洗面鏡の清掃の際に、取付面に対して洗面鏡が動いてしまい、清掃性の低下を招いてしまう虞がある。洗面鏡では、洗面行為に起因する水はねなどにより、洗面鏡の表面が汚れてしまうことがあり、表面の清掃の頻度も比較的高い。このため、洗面鏡では、清掃時の洗面鏡の動きを抑制できるように適切に洗面鏡を固定し、高い清掃性を得られるようにすることが求められている。
【０００４】
一方で、意匠性の低下を抑制しつつ、洗面鏡を適切に固定できるようにするために、単純に固定具などを視認し難い位置に配置してしまうと、固定具に対する手指や工具などの作業空間が確保し難くなってしまい、施工性の低下を招いてしまう可能性がある。
【０００５】
このため、洗面鏡の取付構造では、洗面鏡を適切に固定可能としつつ、高い意匠性と施工性とを得られるようにすることが望まれている。
【先行技術文献】
【特許文献】
【０００６】
【特許文献１】特開２００７−２０９３８６号公報
【発明の概要】
【発明が解決しようとする課題】
【０００７】
本発明は、かかる課題の認識に基づいてなされたものであり、洗面鏡を適切に固定可能としつつ、高い意匠性と施工性とを得ることができる洗面鏡の取付構造を提供することを目的とする。
【課題を解決するための手段】
【０００８】
第１の発明は、洗面鏡を取付面に取り付けるための洗面鏡の取付構造であって、一対の側板を有する枠体と、前記枠体の前方に設けられた洗面鏡と、を有し、前記洗面鏡と前記取付面との間に生じる空間の側方を前記一対の側板で覆う鏡本体と、前記取付面に取り付けられる第１受け具と、前記第１受け具よりも下方に位置するように前記取付面に取り付けられる第２受け具と、前記鏡本体の背面に設けられ、上下方向において前記第１受け具と係合する第１取付具と、前記鏡本体の背面に前記第１取付具よりも下方に設けられ、前記第１受け具と前記第１取付具との係合によって前記鏡本体の前倒れを規制した状態で、前記第２受け具の上に載置される第２取付具と、前記第２受け具及び前記第２受け具の上に載置された前記第２取付具に対して下方から取り付けられ、前記第２取付具を前記第２受け具に固定する固定部材と、を備え、前記第２取付具が前記第２受け具の上に載置された状態において、前記第２受け具の前端は、前記洗面鏡よりも後方に位置することを特徴とする洗面鏡の取付構造である。
【０００９】
この洗面鏡の取付構造によれば、取付面に対して上下方向に鏡本体を移動させながら第１受け具と第１取付具とを係合させ、鏡本体の前倒れを規制した状態で、第２受け具の上に第２取付具を載置することにより、鏡本体を仮固定することができる。この際、鏡本体の移動の方向を上下方向とすることにより、左右方向の幅の狭い洗面所などにおいても、鏡本体の取り付けを適切に行うことができる。また、第２受け具及び第２取付具に対して下方から固定部材を取り付けることにより、手指や工具などの作業空間を鏡本体の下方に適切に確保しつつ、固定部材の取り付けを行うことができる。そして、第２取付具が第２受け具の上に載置された状態において、第２受け具の前端が、洗面鏡よりも後方に位置することにより、第２受け具を使用者などに視認し難くすることができ、高い意匠性を得ることができる。従って、洗面鏡を適切に固定可能としつつ、高い意匠性と施工性とを得ることができる洗面鏡の取付構造を提供することができる。
【００１０】
第２の発明は、第１の発明において、前記第２取付具は、前記洗面鏡の下端よりも上方に設けられ、前記第２取付具が前記第２受け具の上に載置された状態において、前記第２受け具の下端は、前記洗面鏡の下端よりも上方に位置することを特徴とする洗面鏡の取付構造である。
【００１１】
この洗面鏡の取付構造によれば、第２取付具が第２受け具の上に載置された状態において、第２受け具の下端が、洗面鏡の下端よりも上方に位置することにより、第２受け具を使用者などに、より視認し難くすることができ、より高い意匠性を得ることができる。
【００１２】
第３の発明は、第１又は第２の発明において、前記第１受け具及び前記第１取付具の一方の左右方向の幅は、前記第１受け具及び前記第１取付具の他方の左右方向の幅よりも広いことを特徴とする洗面鏡の取付構造である。
【００１３】
この洗面鏡の取付構造によれば、第１受け具及び第１取付具の一方の左右方向の幅を、他方の左右方向の幅よりも広くすることにより、鏡本体の前倒れを左右方向の広い範囲で規制することができる。このため、鏡本体を取付面に仮固定する際に、第１受け具と第１取付具との左右方向の位置調整を容易にすることができ、施工性をより向上させることができる。
【００１４】
第４の発明は、第１〜第３のいずれか１つの発明において、前記第１受け具は、上方に開口し、前記第１取付具は、前記第１受け具に対して上方から係合することを特徴とする洗面鏡の取付構造である。
【００１５】
この洗面鏡の取付構造によれば、鏡本体を取付面に対して上方から取り付けることができ、施工性をより向上させることができる。
【００１６】
第５の発明は、第１〜第４のいずれか１つの発明において、前記第２取付具が前記第２受け具の上に載置された状態において、前記第１取付具と前記第１受け具との間には、上下方向の隙間が設けられていることを特徴とする洗面鏡の取付構造である。
【００１７】
この洗面鏡の取付構造によれば、第１取付具が第１受け具と当接し、第２受け具と第２取付具との間に隙間が生じしまうことを抑制することができる。従って、より適切に洗面鏡を固定することができる。また、第１取付具と第１受け具との間に隙間を設けることにより、第１取付具と第１受け具との間の摩擦抵抗を小さくすることができる。例えば、第２取付具を第２受け具の上に載置した後に、鏡本体の左右方向の位置調整などをし易くすることができる。さらには、第１取付具と第１受け具との間に隙間を設けることにより、例えば、第１受け具及び第１取付具の少なくとも一方を複数設けた場合に、複数の部材の高さ方向の位置の誤差を、隙間によって吸収することができる。
【発明の効果】
【００１８】
本発明の態様によれば、洗面鏡を適切に固定可能としつつ、高い意匠性と施工性とを得ることができる洗面鏡の取付構造を提供することができる。
【図面の簡単な説明】
【００１９】
【図１】図１（ａ）及び図１（ｂ）は、実施形態に係る洗面化粧台を模式的に表す正面図及び側面図である。
【図２】実施形態に係る鏡装置を模式的に表す斜視図である。
【図３】実施形態に係る鏡装置の上部断面を模式的に表す断面図である。
【図４】実施形態に係る鏡装置の下部断面を模式的に表す断面図である。
【図５】図５（ａ）〜図５（ｃ）は、実施形態に係る取付工程を模式的に表す断面図である。
【図６】実施形態に係る鏡装置の変形例を模式的に表す断面図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る洗面化粧台を模式的に表す正面図及び側面図である。  
図１（ａ）及び図１（ｂ）に表したように、洗面化粧台２は、支持台３と、洗面器４と、水栓装置５と、鏡装置１０と、を備える。洗面化粧台２は、洗面所などの洗面空間に設置され、洗面空間の所定の取付面ＷＳに取り付けられた状態で使用される。
【００２１】
以下、本願明細書においては、取付面ＷＳの向く方向を「前方」とし、これと反対の方向を「後方」とする。また、前方を向いた状態を基準に、右側、左側、上側、下側を、それぞれ「右側方」、「左側方」、「上方」、「下方」とする。
【００２２】
支持台３は、洗面器４を支持する。支持台３は、例えば、フロアキャビネットである。この例において、支持台３は、引き出し式のキャビネットである。支持台３は、例えば、観音開き式のキャビネットなどでもよい。支持台３は、洗面器４を支持可能な任意の構成でよい。また、例えば、洗面器４を取付面ＷＳに直接取り付ける場合などには、支持台３を省略してもよい。
【００２３】
洗面器４は、支持台３の上に設けられる。洗面器４は、下方に向かって凹んだ凹状の洗面ボウル４ａを有する。洗面ボウル４ａは、水栓装置５から吐出された水を受ける。
【００２４】
水栓装置５は、洗面器４の上に設けられる。水栓装置５は、例えば、洗面器４内に設けてもよいし、取付面ＷＳに取り付けてもよい。水栓装置５は、吐水口５ａと、操作部５ｂと、を有する。吐水口５ａは、洗面ボウル４ａに向けて水を吐出する。操作部５ｂは、吐水口５ａから吐出される水の流量及び温度を調節する。この例において、操作部５ｂは、レバーハンドルである。操作部５ｂは、これに限ることなく、回転型のハンドルなどでもよい。操作部５ｂは、少なくとも流量を調節できればよい。
【００２５】
鏡装置１０は、洗面器４及び水栓装置５の上に設けられる。鏡装置１０は、取付面ＷＳに取り付けられる。鏡装置１０は、洗面鏡１６を有する。洗面鏡１６は、例えば、略矩形の一枚の平板状である。換言すれば、洗面鏡１６は、一面鏡である。
【００２６】
このように、鏡装置１０は、洗面器４及び水栓装置５の上方に洗面鏡１６を配置する。これにより、手洗いや洗顔などの洗面行為を行う使用者が、自身の顔や髪などを確認することができる。洗面鏡１６は、鏡装置１０によって取付面ＷＳに取り付けられる。すなわち、鏡装置１０は、洗面鏡１６を取付面ＷＳに取り付ける取付構造を提供する。
【００２７】
図２は、実施形態に係る鏡装置を模式的に表す斜視図である。  
図３は、実施形態に係る鏡装置の上部断面を模式的に表す断面図である。  
図４は、実施形態に係る鏡装置の下部断面を模式的に表す断面図である。  
図２〜図４に表したように、鏡装置１０（洗面鏡の取付構造）は、鏡本体１２と、第１受け具２１と、第２受け具２２と、第１取付具３１と、第２取付具３２と、固定部材３５と、を備える。
【００２８】
鏡本体１２は、枠体１４と、洗面鏡１６と、を有する。枠体１４は、一対の側板４０を有する。洗面鏡１６は、枠体１４の前方に設けられる。換言すれば、洗面鏡１６は、各側板４０の前端に設けられる。枠体１４は、各側板４０の後端を取付面ＷＳに近接させた状態で、取付面ＷＳに取り付けられる。このため、洗面鏡１６は、各側板４０の分だけ取付面ＷＳから離間した状態で、取付面ＷＳに取り付けられる。鏡本体１２は、洗面鏡１６と取付面ＷＳとの間に生じる空間ＳＰの側方を一対の側板４０で覆う。これにより、取付面ＷＳに取り付けられた状態において、洗面鏡１６の背面や空間ＳＰなどが、側方から視認されてしまうことを抑制することができる。
【００２９】
枠体１４は、例えば、補強材４２、４３をさらに有する。補強材４２、４３は、左右方向に延び、各側板４０を接続する。補強材４２は、各側板４０の上端付近に設けられる。補強材４３は、各側板４０の下端付近に設けられる。これにより、各補強材４２、４３は、各側板４０とともに矩形状の枠を形成し、枠体１４を補強する。但し、補強材４２、４３は、必要に応じて設けられ、省略可能である。また、各補強材４２、４３は、各側板４０の前端付近に設けられる。換言すれば、各補強材４２、４３は、洗面鏡１６の背面に近接して設けられる。
【００３０】
鏡本体１２は、例えば、鏡支持部４４、４５をさらに有する。鏡支持部４４は、洗面鏡１６の上端に係合する。鏡支持部４４は、例えば、ネジ止めなどにより、補強材４２に取り付けられる。鏡支持部４５は、洗面鏡１６の下端に係合する。鏡支持部４５は、例えば、ネジ止めなどにより、補強材４３に取り付けられる。このように、洗面鏡１６は、上端及び下端を鏡支持部４４、４５に支持された状態で、鏡支持部４４、４５を介して枠体１４の前方に取り付けられる。これにより、ネジなどの固定具の露出を抑制した状態で、洗面鏡１６を枠体１４の前方に取り付けることができる。但し、洗面鏡１６の枠体１４への取付方法は、上記に限ることなく、任意の方法でよい。
【００３１】
鏡本体１２は、例えば、照明部５０と、反射板５２と、カバー５４と、をさらに有する。枠体１４は、上方が開口している。照明部５０は、洗面鏡１６と取付面ＷＳとの間の空間ＳＰ内に設けられる。換言すれば、照明部５０は、枠体１４の内部に設けられる。照明部５０は、枠体１４の上方の開口に向かって光（可視光）を照射する。
【００３２】
反射板５２は、枠体１４の上部に設けられる。反射板５２は、例えば、枠体１４の上部後端から上方に向かって延びるとともに、前方に向かって延びる。反射板５２は、照明部５０から上方に向かって照射された光を前方下方に向けて反射させる。これにより、照明部５０から照射され、反射板５２で反射した光によって、洗面鏡１６の表面や使用者の顔などを照らすことができる。
【００３３】
カバー５４は、枠体１４の上部に設けられ、枠体１４の上方の開口を塞ぐ。カバー５４は、照明部５０から照射された光に対して光透過性を有する。カバー５４は、例えば、透明な平板状である。これにより、照明部５０から照射された光を反射板５２に向けて照射させつつ、枠体１４の上部の開口から塵埃などが枠体１４内に侵入してしまうことを抑制することができる。
【００３４】
照明部５０などの構成は、上記に限定されるものではない。例えば、枠体１４の上に照明部５０を設け、洗面鏡１６の前方に向けて光を照射するようにしてもよい。照明部５０の構成は、洗面鏡１６の前方に向けて光を照射可能な任意の構成でよい。また、照明部５０、反射板５２、及びカバー５４は、必要に応じて設けられ、省略可能である。
【００３５】
第１受け具２１は、取付面ＷＳに取り付けられる。第１受け具２１は、例えば、ネジ止めによって取付面ＷＳに取り付けられる。第１受け具２１の取付面ＷＳへの取付方法は、ネジ止めに限ることなく、第１受け具２１を適切に取り付けることができる任意の取付方法でよい。
【００３６】
第１受け具２１は、例えば、取付面ＷＳにネジなどによって固定される固定部２１ａと、固定部２１ａの上端から前方に向かって延びる第１延在部２１ｂと、第１延在部２１ｂの前端から上方に向かって延びる第２延在部２１ｃと、を有する。第１受け具２１は、例えば、クランク状に屈曲した平板状である。
【００３７】
このように、第１受け具２１は、上方に開口し、上方からの係合を可能にする。第１受け具２１の構成は、上記に限ることなく、上方に開口し、上方からの係合を可能にする任意の構成でよい。また、上記とは反対に、第１受け具２１は、下方に開口し、下方からの係合を可能にする構成としてもよい。
【００３８】
鏡装置１０は、例えば、左右方向に並べて設けられた複数の第１受け具２１を備える。この例において、鏡装置１０は、２つの第１受け具２１を備える。但し、第１受け具２１の数は、２つに限ることなく、１つでもよいし、３つ以上でもよい。第１受け具２１の数は、任意の数でよい。
【００３９】
第２受け具２２は、第１受け具２１よりも下方に位置するように取付面ＷＳに取り付けられる。第２受け具２２は、例えば、ネジ止めによって取付面ＷＳに取り付けられる。第２受け具２２の取付面ＷＳへの取付方法は、ネジ止めに限ることなく、第２受け具２２を適切に取り付けることができる任意の取付方法でよい。
【００４０】
鏡装置１０は、例えば、左右方向に並べて設けられた複数の第２受け具２２を備える。この例において、鏡装置１０は、２つの第２受け具２２を備える。但し、第２受け具２２の数は、２つに限ることなく、１つでもよいし、３つ以上でもよい。第２受け具２２の数は、任意の数でよい。
【００４１】
第１取付具３１は、鏡本体１２の背面に設けられる。第１取付具３１は、枠体１４の背面に設けてもよいし、洗面鏡１６の背面に設けてもよい。第１取付具３１は、上下方向において第１受け具２１と係合する。この例では、第１受け具２１が、上方に開口している。従って、第１取付具３１は、第１受け具２１に対して上方から係合する。例えば、第１受け具２１が下方に開口している場合には、第１取付具３１は、第１受け具２１に対して下方から係合する。
【００４２】
第１取付具３１は、例えば、左右方向に延び、一対の側板４０を接続する。第１取付具３１は、例えば、横桟である。これにより、第１取付具３１によって枠体１４の強度を高めることもできる。換言すれば、第１取付具３１に補強材としても機能も持たせることができる。
【００４３】
第１取付具３１の前後方向の幅は、例えば、第１受け具２１の第１延在部２１ｂの前後方向の幅よりも狭い。これにより、第１取付具３１を第１受け具２１に上方から係合させることができる。
【００４４】
また、第１取付具３１の左右方向の幅Ｗ２は、第１受け具２１の左右方向の幅Ｗ１よりも広い。第１取付具３１は、左右方向に並べて設けられる２つの第１受け具２１のそれぞれに係合する。
【００４５】
第１受け具２１及び第１取付具３１の構成は、上記に限ることなく、互いに係合可能な任意の構成でよい。例えば、上記とは反対に、第１受け具２１の左右方向の幅Ｗ１を、第１取付具３１の左右方向の幅Ｗ２よりも広くしてもよい。
【００４６】
第２取付具３２は、鏡本体１２の背面に第１取付具３１よりも下方に設けられ、第１受け具２１と第１取付具３１との係合によって鏡本体１２の前倒れを規制した状態で、第２受け具２２の上に載置される。この例において、第２取付具３２は、左右方向に並べて設けられる２つの第２受け具２２のそれぞれの上に載置される。第２取付具３２は、枠体１４の背面に設けてもよいし、洗面鏡１６の背面に設けてもよい。
【００４７】
第２取付具３２が第２受け具２２の上に載置された状態において、第１取付具３１と第１受け具２１との間には、上下方向の隙間ＧＰ（図３参照）が設けられている。この例では、第１取付具３１が、上方から第１受け具２１に係合する。このため、この例では、第１取付具３１が第１受け具２１よりも上方に位置した状態で、第１取付具３１と第１受け具２１との間に隙間ＧＰが設けられる。反対に、第１取付具３１が、下方から第１受け具２１に係合する場合には、第１取付具３１が第１受け具２１よりも下方に位置した状態で、第１取付具３１と第１受け具２１との間に隙間ＧＰが設けられる。
【００４８】
第２取付具３２が第２受け具２２の上に載置された状態において、第２受け具２２の前端２２ｆは、洗面鏡１６よりも後方に位置する。
【００４９】
第２取付具３２は、洗面鏡１６の下端１６ｂよりも上方に設けられる。第２取付具３２が第２受け具２２の上に載置された状態において、第２受け具２２の下端２２ｂは、洗面鏡１６の下端１６ｂよりも上方に位置する。
【００５０】
第２受け具２２及び第２取付具３２は、例えば、断面略Ｌ字状に折り曲げられた平板状である。第２取付具３２は、例えば、ネジ止めなどにより、補強材４３に取り付けられる。また、第２取付具３２は、左右方向に延び、洗面鏡１６と取付面ＷＳとの間に生じる空間ＳＰの下方を覆う。換言すれば、第２取付具３２は、枠体１４の底板としても機能する。これにより、取付面ＷＳに取り付けられた状態において、洗面鏡１６の背面や空間ＳＰなどが、下方から視認されてしまうことを抑制することができる。第２受け具２２及び第２取付具３２の構成は、上記に限ることなく、第２取付具３２を第２受け具２２の上に載置可能な任意の構成でよい。
【００５１】
鏡本体１２は、例えば、照明部５０の点灯・消灯を切り替えるためのスイッチ部５６をさらに有する。スイッチ部５６は、例えば、洗面鏡１６の下端１６ｂよりも上方に設けられた第２取付具３２の底面に取り付けられる。スイッチ部５６の下端は、枠体１４の下端よりも上方に位置する。これにより、スイッチ部５６が、前方に露出してしまうことを抑制することができる。鏡装置１０の意匠性をより向上させることができる。また、スイッチ部５６を枠体１４の底面側に配置した場合にも、鏡装置１０の輸送や取り付けの際などに、スイッチ部５６に衝撃が加わってしまうことなどを抑制することができる。
【００５２】
固定部材３５は、第２受け具２２及び第２受け具２２の上に載置された第２取付具３２に対して下方から取り付けられ、第２取付具３２を第２受け具２２に固定する。固定部材３５は、例えば、雄ネジである。第２受け具２２には、例えば、固定部材３５を挿通するための貫通孔が設けられる。第２取付具３２には、例えば、固定部材３５と螺合する雌ネジが設けられる。これにより、固定部材３５によって第２取付具３２を第２受け具２２に固定することができる。例えば、第２取付具３２を第２受け具２２に対して完全拘束することができる。固定部材３５は、雄ネジに限ることなく、第２取付具３２を第２受け具２２に固定可能な任意の部材でよい。
【００５３】
図５（ａ）〜図５（ｃ）は、実施形態に係る取付工程を模式的に表す断面図である。  
図５（ａ）に表したように、鏡装置１０の取り付けにおいては、まず、第１受け具２１及び第２受け具２２を取付面ＷＳの所定の位置に取り付ける。
【００５４】
この後、図５（ａ）〜図５（ｃ）に表したように、鏡本体１２を上下方向に移動させ、第１受け具２１と第１取付具３１とを係合させるとともに、第２取付具３２を第２受け具２２の上に載置することにより、鏡本体１２の前倒れを規制した状態で、鏡本体１２を仮固定する。この例では、鏡本体１２を上方から下方に移動させることにより、第１受け具２１と第１取付具３１とを係合させるとともに、第２取付具３２を第２受け具２２の上に載置する。
【００５５】
このように、鏡本体１２の移動方向を上下方向とすることにより、例えば、鏡本体１２の両側方に壁面が近接している左右方向の幅の狭い洗面空間においても、鏡本体１２の取り付けを適切に行うことができる。
【００５６】
図５（ｃ）に表したように、鏡本体１２を仮固定した後、第２受け具２２及び第２取付具３２に対して下方から固定部材３５を取り付けることにより、第２取付具３２を第２受け具２２に固定する。すなわち、鏡本体１２を本固定する。これにより、鏡本体１２が取付面ＷＳに取り付けられる。換言すれば、洗面鏡１６が、取付面ＷＳに取り付けられる。
【００５７】
以上、説明したように、本実施形態に係る鏡装置１０及びその洗面鏡１６の取付構造によれば、取付面ＷＳに対して上下方向に鏡本体１２を移動させながら第１受け具２１と第１取付具３１とを係合させ、鏡本体１２の前倒れを規制した状態で、第２受け具２２の上に第２取付具３２を載置することにより、鏡本体１２を仮固定することができる。この際、鏡本体１２の移動の方向を上下方向とすることにより、左右方向の幅の狭い洗面所などにおいても、鏡本体１２の取り付けを適切に行うことができる。また、第２受け具２２及び第２取付具３２に対して下方から固定部材３５を取り付けることにより、手指や工具などの作業空間を鏡本体１２の下方に適切に確保しつつ、固定部材３５の取り付けを行うことができる。そして、第２取付具３２が第２受け具２２の上に載置された状態において、第２受け具２２の前端２２ｆが、洗面鏡１６よりも後方に位置することにより、第２受け具２２を使用者などに視認し難くすることができ、高い意匠性を得ることができる。従って、洗面鏡１６を適切に固定可能としつつ、高い意匠性と施工性とを得ることができる洗面鏡１６の取付構造を提供することができる。
【００５８】
また、鏡装置１０では、第２取付具３２が第２受け具２２の上に載置された状態において、第２受け具２２の下端２２ｂが、洗面鏡１６の下端１６ｂよりも上方に位置することにより、第２受け具２２を使用者などに、より視認し難くすることができ、より高い意匠性を得ることができる。また、第２受け具２２に下方から取り付けられる固定部材３５などの視認も、より適切に抑制することができる。
【００５９】
また、鏡装置１０では、第１受け具２１及び第１取付具３１の一方の左右方向の幅を、他方の左右方向の幅よりも広くすることにより、鏡本体１２の前倒れを左右方向の広い範囲で規制することができる。このため、鏡本体１２を取付面ＷＳに仮固定する際に、第１受け具２１と第１取付具３１との左右方向の位置調整を容易にすることができ、施工性をより向上させることができる。
【００６０】
また、鏡装置１０では、第１受け具２１が、上方に開口し、第１取付具３１が、第１受け具２１に対して上方から係合する。これにより、鏡本体１２を取付面ＷＳに対して上方から取り付けることができ、施工性をより向上させることができる。
【００６１】
また、鏡装置１０では、第２取付具３２が第２受け具２２の上に載置された状態において、第１取付具３１と第１受け具２１との間に、上下方向の隙間ＧＰが設けられる。これにより、第１取付具３１が第１受け具２１と当接し、第２受け具２２と第２取付具３２との間に隙間が生じしまうことを抑制することができる。従って、より適切に洗面鏡１６を固定することができる。また、第１取付具３１と第１受け具２１との間に隙間ＧＰを設けることにより、第１取付具３１と第１受け具２１との間の摩擦抵抗を小さくすることができる。例えば、第２取付具３２を第２受け具２２の上に載置した後に、鏡本体１２の左右方向の位置調整などをし易くすることができる。さらには、第１取付具３１と第１受け具２１との間に隙間ＧＰを設けることにより、例えば、第１受け具２１及び第１取付具３１の少なくとも一方を複数設けた場合に、複数の部材の高さ方向の位置の誤差を、隙間ＧＰによって吸収することができる。
【００６２】
図６は、実施形態に係る鏡装置の変形例を模式的に表す断面図である。  
なお、上記実施形態と機能・構成上実質的に同じものについては、同符号を付し、詳細な説明は省略する。  
図６に表したように、第２取付具３２の底面が、枠体１４（側板４０）の下端と略面一になるように、第２取付具３２を枠体１４に取り付けてもよい。第２受け具２２の下端２２ｂは、洗面鏡１６の下端１６ｂよりも僅かに下方に位置してもよい。第２受け具２２の下端２２ｂは、枠体１４の下端よりも僅かに下方に位置してもよい。例えば、板状の第２受け具２２の厚さ程度は、下端２２ｂを洗面鏡１６の下端１６ｂよりも下方に位置させてもよい。
【００６３】
このような場合にも、第２取付具３２が第２受け具２２の上に載置された状態において、第２受け具２２の前端２２ｆを、洗面鏡１６よりも後方に位置させることにより、第２受け具２２や固定部材３５などを使用者などに視認し難くすることができる。鏡装置１０において、高い意匠性を得ることができる。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台２、鏡装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
２ 洗面化粧台、  ３ 支持台、  ４ 洗面器、  ５ 水栓装置、  １０ 鏡装置、  １２ 鏡本体、  １４ 枠体、  １６ 洗面鏡、  ２１ 第１受け具、  ２２ 第２受け具、  ３１ 第１取付具、  ３２ 第２取付具、  ３５ 固定部材、  ４０ 側板、  ４２、４３ 補強材、  ４４、４５ 鏡支持部、  ５０ 照明部、  ５２ 反射板、  ５４ カバー、  ５６ スイッチ部
【図１】
2019136340.tif 000003
【図２】
2019136340.tif 000004
【図３】
2019136340.tif 000005
【図４】
2019136340.tif 000006
【図５】
2019136340.tif 000007
【図６】
2019136340.tif 000008